(57)【特許請求の範囲】
【請求項１】
顧客が操作部を操作することにより取引を行う自動取引装置において、自動取引装置に電源を供給する電源部と、前記操作部を開閉させる遮蔽部材と、前記遮蔽部材を駆動させる遮蔽部材駆動部と、前記電源部のオンオフ状態を監視し、前記遮蔽部材駆動部を介して前記遮蔽部材を開閉させる遮蔽部材制御部と、前記遮蔽部材駆動部および遮蔽部材制御部に電源を供給する補助電源部と、前記遮蔽部材を閉めるタイミングを任意に設定可能な主制御部とを具備し、前記遮蔽部材制御部が前記電源部のオンにより電源供給されたことを検知すると、前記電源部から供給された電源により前記遮蔽部材制御部が作動し、前記遮蔽部材駆動部を介して前記遮蔽部材を開け、前記主制御部に設定されたタイミングにより前記遮蔽部材制御部が作動し、前記遮蔽部材駆動部を介して前記遮蔽部材を閉め、かつ、前記遮蔽部材制御部により前記電源部がオフしたことにより電源供給が停止されたことを検知すると、前記補助電源から供給された電源で前記遮蔽部材制御部が作動し、前記遮蔽部材駆動部を介して前記遮蔽部材を閉めることを特徴とする自動取引装置。
【発明の詳細な説明】
【０００１】
【発明の属する技術分野】
顧客が操作部を操作することにより取引を行う自動取引装置に関し、とくに屋外に設置された自動取引装置に関する。
【０００２】
【従来の技術】
自動取引装置は顧客の操作だけで取引を行うことができるので広く利用されており、近年、銀行などの金融機関の屋内だけでなく屋外にも多く設置されるようになってきた。また最近では顧客が自動車に乗ったまま取引の操作を行うことができる自動取引装置も出現しており、顧客の利用のし易さの向上がはかられている。
【０００３】
【発明が解決しようとする課題】
しかしながら顧客が自動車に乗ったまま取引操作を行う形式の自動取引装置では、操作部が常に露出しているので操作部が雨に濡れたり、風で塵埃が付着したりすると、装置が誤動作あるいは故障をする原因になる恐れがあった。また、操作部が四六時中露出しているので、防犯面で充分とはいえない状態にあった。
【０００４】
【課題を解決するための手段】
上記課題を解決するために本発明は、顧客が操作部を操作することにより取引を行う自動取引装置において、前記操作部を開閉可能に密閉するカバーと、前記カバーを開閉させるカバー制御部と、自動取引装置に移動体が接近したことを検知する検知手段とを具備し、前記検知手段により移動体が装置に接近したことが検知されると前記カバー制御部によりカバーを開け、前記検知手段により移動体が装置から遠ざかったことが検知されると前記カバー制御部によりカバーを閉めることを特徴とする。
【０００５】
上記発明によれば、移動体が自動取引装置に接近するとカバーが開いて操作できるようになり、移動体が装置から遠ざかるとカバーが閉じる。したがって顧客が操作を行っていない場合にはカバーが閉じているので操作部が雨に濡れたり塵埃に晒されたりすることはなくなる。
【０００６】
また他の発明は、操作部を開閉可能に塞ぐシャッタと、シャッタを開閉させるシャッタ制御部と、自動取引装置に電源を供給する電源部とを具備し、前記電源部が装置に電源を供給すると前記シャッタ制御部がシャッタを開け、電源の供給を停止するとシャッタを閉めることを特徴とするものである。シャッタ制御部は、装置の取引可能状態時にシャッタを開け、取引不可状態の時にシャッタを閉めるようにしてもよい。
【０００７】
上記他の発明によれば、シャッタ制御部が電源供給停止時または取引不可状態時に操作部のシャッタを閉めるので、防犯性が向上する。
【０００８】
【発明の実施の形態】
以下、本発明の実施の形態を図面にしたがって説明する。各図面に共通する要素には同一の符号を付す。図１は本発明の第１の実施の形態の要部を示す制御ブロック図、図２は第１の実施の形態の自動取引装置を示す外観図である。
【０００９】
図１、図２において、自動取引装置１には操作部２が設けられ、操作部２には表示部付きタッチパネル３、紙幣投入排出口４、カード挿入排出口５および通帳挿入排出口６がそれぞれ形成されている。自動取引装置１にはこの操作部２を覆うように透明なカバー７が取付けられている。カバー７は上下方向にスライド可能に設けられ、下方にスライドすることにより操作部２を閉じ、カバー７で閉じられたときには操作部２は密閉される。上方にスライドしたときはカバー７は装置１の上部筐体１ａ内に入り込む。また自動取引装置１の側部には近接センサ８が取付けられ、移動体が近付いてくるとこれを検知する。近接センサ８は赤外線センサにより構成される。
【００１０】
カバー７はカバー駆動部９により駆動され、カバー駆動部９はカバー制御部１０により制御される。近接センサ８はカバー制御部１０に接続され、近付いてきた移動体を検知すると検知信号をカバー制御部１０に送信する。
図３は自動取引装置の使用状況を示す説明図である。図３において、自動取引装置１は屋外に設置されており、顧客は自動車１１で自動取引装置１に接近し、自動車１１に乗ったまま自動取引装置１の操作を行う。
【００１１】
次に第１の実施の形態の動作をさらに図４および図５にしたがって説明する。図４は自動取引装置のカバーを開けた状態を示す外観図、図５は第１の実施の形態の動作を示すフローチャートである。
まず自動取引装置１が起動されるとカバー制御部１０はカバー７を閉じた状態にする（ステップＳ１）。この状態で自動車１１が接近してくるかどうかを監視している。近接センサ８により自動車１１の近接が検知されると（ステップＳ２）、近接センサ８から検知信号がカバー制御部１０へ送られる。これを受けてカバー制御部１０は、カバー駆動部９を駆動してカバー７を上方へスライドさせて開ける（ステップＳ３）。カバー７が開けられた状態を図４に示す。カバー７が開けられることにより顧客は操作部２を操作できるようになる。
【００１２】
顧客は操作部２を操作して取引を行い、取引が終了すると顧客は自動取引装置１から離れる。近接センサ８は自動車１１が自動取引装置１から離れたことを検知すると（ステップＳ４）、離れたことを示す信号がカバー制御部１０へ伝えられ、カバー制御部１０はカバー駆動部９を駆動してカバー７を下方へスライドさせて閉じる（ステップＳ１）。顧客が装置１に接近していないときカバー７を閉じて操作部２を密閉することにより、操作部２が雨に濡れることもなく、また塵埃に晒されることもない。
【００１３】
次に第２の実施の形態を説明する。図６は第２の実施の形態の要部を示す制御ブロック図である。図６において、カバーの開閉を制御するカバー制御部１０に電源部１２が接続されている。電源部１２は自動取引装置１の各部に電源を供給するものである。電源部１２はまた近接センサ８にも接続されており、近接センサ８からの検知信号により電源の供給を制御する。近接センサ８には補助電源１３が接続されており、近接センサ８は電源部１２から電源の供給を受けないでも作動するようになっている。補助電源１３は電源部１２がオンしたとき（電源供給時）に充電される。また補助電源１３は図示しない自動取引装置１の警報システムへ電力を供給する電源を共用するようにしてもよい。その他の構成は前記第１の実施の形態と同様である。
【００１４】
次に第２の実施の形態の動作を図２、図３、図４、図７にしたがって説明する。図７は第２の実施の形態の動作を示すフローチャートである。
まず自動取引装置１が起動されるとカバー制御部１０はカバー７を閉じた状態にする（ステップＳ１１）。次に自動取引装置１の図示しない制御部が電源部１２をオフにして装置各部への電源の供給を停止する（ステップＳ１２）。近接センサ８は補助電源１３により作動しており、自動車１１が接近してくるかどうかを監視している。
【００１５】
近接センサ８により自動車１１の近接が検知されると（ステップＳ１３）、近接センサ８から検知信号が電源部１２へ送られ、この信号により電源部１２は自動取引装置１の各部に電源を供給する（ステップＳ１４）。これによりカバー制御部１０も作動し、また近接センサ８の検知信号はカバー制御部１０へも送られる。これを受けてカバー制御部１０は、カバー駆動部９を駆動してカバー７を上方へスライドさせて開ける（ステップＳ１５）。カバー７が開けられた状態を図４に示す通りである。カバー７が開けられることにより顧客は操作部２を操作できるようになる。
【００１６】
顧客は操作部２を操作して取引を行い、取引が終了すると顧客は自動取引装置１から離れる。近接センサ８は自動車１１が自動取引装置１から離れたことを検知すると（ステップＳ１６）、離れたことを示す信号がカバー制御部１０へ伝えられ、カバー制御部１０はカバー駆動部９を駆動してカバー７を下方へスライドさせて閉じる（ステップＳ１１）。
【００１７】
以上のように第２の実施の形態では、上記第１の実施の形態の効果に加えて、顧客が接近していないときには自動取引装置１の電源の供給を停止するので、大きな省エネルギー効果が得られる。また本実施の形態では、自動取引装置１側だけでカバー７の動作制御と電源部１２の供給制御を行うので、例えば同様のカバーを自動取引装置１を囲うブースに取付けた場合に比べると、ブース側のカバーと自動取引装置１との間の動作連動の確認および調整が不要であるという効果を有する。
【００１８】
上記各実施の形態では自動車１１が自動取引装置１に接近する場合を例に説明したが、顧客が自動車１１に乗らないで例えば徒歩で自動取引装置１に接近する場合も上記と同様に作動することはいうまでもない。
【００１９】
次に第３の実施の形態を説明する。図８は第３の実施の形態の要部を示す制御ブロック図、図９は第３の実施の形態の自動取引装置を示す外観図である。
図８、図９において、自動取引装置２１には操作部２が設けられ、操作部２には表示部付きタッチパネル３、紙幣投入排出口４、カード挿入排出口５および通帳挿入排出口６がそれぞれ形成されている。自動取引装置１にはこの操作部２を覆うように強靱性に優れた例えばステンレス材からなるシャッタ２２が取付けられている。シャッタ２２は上下方向にスライド可能に設けられ、下方にスライドすることにより操作部２を閉じる。上方にスライドしたときは図１０に示すように、シャッタ２２は装置２１の上部筐体２１ａ内に入り込むことにより操作部２を開ける。図１０はシャッタを開けた状態を示す外観図である。
【００２０】
シャッタ２２はシャッタ駆動部２３により駆動され、シャッタ駆動部２３はシャッタ制御部２４により制御される。シャッタ制御部２４には電源部１２が接続されている。電源部１２は自動取引装置２１の各部に電源を供給するものである。シャッタ制御部２４およびシャッタ駆動部２３は補助電源２５に接続されており、電源部１２から電源を供給されない場合でも補助電源２５から電源の供給を受けることにより作動する。
【００２１】
次に第３の実施の形態の動作をさらに図１１にしたがって説明する。図１１は第３の実施の形態の動作を示すフローチャートである。
まず自動取引装置１を起動する前はシャッタ２２を閉まっている（ステップＳ２１）。これは補助電源２５によりシャッタ制御部２４がシャッタ駆動部２３を駆動してシャッタ２２を閉めておくのである。この状態で自動取引装置２１が起動されるかどうかを監視している。自動取引装置２１が起動されて電源部１２から装置２１の各部に電源が供給されると（ステップＳ２２）、シャッタ制御部２４へも電源が供給される。これを受けてシャッタ制御部２４は、シャッタ駆動部２３を駆動してシャッタ２２を上方へスライドさせて図１０に示すように開ける（ステップＳ２３）。シャッタ２２が開けられることにより顧客は操作部２を操作できるようになる。
【００２２】
シャッタ制御部２４はその後も電源部１２のオン、オフの監視を続け、すべての取引が終了して電源部１２がオフするとシャッタ制御部２４に対しても電源の供給が停止される（ステップＳ２４）。これによりシャッタ制御部２４はシャッタ駆動部２３を駆動してシャッタ２２を下方へスライドさせて閉じる（ステップＳ２１）。
【００２３】
本実施の形態では装置２１の電源部１２がオフのときはシャッタ２２を閉じるようにしたので、例えば閉店後の防犯性を強化することができる。なお上記実施の形態では補助電源２５を使用して電源部１２から電源供給を受けないときにシャッタ２２を閉じるようにしているが、シャッタ２２を閉じるのを自重により行い、開くのは電源部１２から電源供給を受けて行うようにすれば補助電源を使用する必要はなくなる。
【００２４】
また第３の実施の形態では上記第２の実施の形態で述べたのと同じ効果を有する。即ち、自動取引装置２１側だけでシャッタ２２の動作制御と電源部１２の供給制御を連動させて行うので、例えば同様のシャッタを自動取引装置２１を囲うブースに取付けた場合に比べると、ブース側のシャッタと自動取引装置２１との間の動作連動の確認および調整が不要であるという効果を有する。
【００２５】
次に第４の実施の形態を説明する。図１２は第４の実施の形態の要部を示す制御ブロック図である。図１２において、シャッタ２２の開閉を制御するシャッタ制御部２４に主制御部２６が接続されている。主制御部２６は自動取引装置２１の各部を制御するものであり、シャッタ制御部２４に対して装置２１が取引可能の状態になったときにシャッタ開信号を送信し、装置２１が取引不可になったときにシャッタ閉信号を送信する。その他の構成は前記第３の実施の形態と同様である。
【００２６】
次に第４の実施の形態の動作を図９、図１０、図１２、図１３にしたがって説明する。図１３は第４の実施の形態の動作を示すフローチャートである。
まず自動取引装置２１が起動されると（ステップＳ３１）、シャッタ制御部２４はシャッタ駆動部２３を駆動してシャッタ２２を閉じる（ステップＳ３２）。主制御部２６は自動取引装置２１が取引可能な状態になったかどうかを監視し（ステップＳ３３）、取引可能な状態になるとシャッタ制御部２４にシャッタ開信号を送り、これを受けてシャッタ制御部２４はシャッタ駆動部２３を駆動してシャッタ２２を開く（ステップＳ３４）。
【００２７】
主制御部２６はその後も自動取引装置２１が取引可能状態か取引不可の状態かを監視しており、装置２１が取引不可の状態になると（ステップＳ３５）、シャッタ制御部２４にシャッタ閉信号を送信し、これを受けてシャッタ制御部２４はシャッタ駆動部２３を駆動してシャッタ２２を下方へスライドさせて閉じる（ステップＳ３１）。
【００２８】
以上のように第４の実施の形態では、上記第３の実施の形態の効果に加えて、閉店の前であっても自動取引装置２１が何らかの原因で取引不可になった場合でもシャッタ２２を閉じるので、防犯性をさらに強化することができる効果がある。
【００２９】
上記第３、第４の実施の形態は風雨等の影響を受けない屋内若しくは駐車場に自動取引装置を設置する場合でも有効である。またシャッタ２２を閉めるタイミングを自動取引装置２１の主制御部で閉鎖モードとして任意に設定し、電源非供給時あるいは取引不可時以外にもシャッタ２２を閉じるようにしてもよい。さらに自動取引装置に接続される上位装置によって閉鎖モードのタイミングを切り替えるようにしてもよい。
【００３０】
【発明の効果】
以上詳細に説明したように本発明によれば、顧客が自動取引装置に接近すると操作部を覆うカバーを開け、顧客が自動取引装置に接近していないときはカバーを閉じて操作部２を密閉することにより、操作部が雨に濡れることもなく、また塵埃に晒されることもない。また自動取引装置で取引が行われていないときにはシャッタを閉じるようにしたので、防犯性にすぐれた自動取引装置を実現することができる。
【図面の簡単な説明】
【図１】第１の実施の形態の要部を示す制御ブロック図である。
【図２】自動取引装置を示す外観図である。
【図３】自動取引装置の使用状況を示す説明図である。
【図４】カバーを開けた状態を示す外観図である。
【図５】第１の実施の形態の動作を示すフローチャートである。
【図６】第２の実施の形態の要部を示す制御ブロック図である。
【図７】第２の実施の形態の動作を示すフローチャートである。
【図８】第３の実施の形態の要部を示す制御ブロック図である。
【図９】第３の実施の形態の自動取引装置を示す外観図である。
【図１０】第３の実施の形態においてシャッタを開けた状態を示す外観図である。
【図１１】第３の実施の形態の要部を示す制御ブロック図である。
【図１２】第４の実施の形態の要部を示す制御ブロック図である。
【図１３】第４の実施の形態の動作を示すフローチャートである。
【符号の説明】
１  自動取引装置
２  操作部
７  カバー
８  近接センサ
１０  カバー制御部
１２  電源部
２２  シャッタ
２４  シャッタ制御部
２６  主制御部
【図１】
0003916801.tif 000002
【図２】
0003916801.tif 000003
【図３】
0003916801.tif 000004
【図４】
0003916801.tif 000005
【図５】
0003916801.tif 000006
【図６】
0003916801.tif 000007
【図７】
0003916801.tif 000008
【図８】
0003916801.tif 000009
【図９】
0003916801.tif 000010
【図１０】
0003916801.tif 000011
【図１１】
0003916801.tif 000012
【図１２】
0003916801.tif 000013
【図１３】
0003916801.tif 000014